(57)【特許請求の範囲】
【請求項１】
ベース（２）の頂部面の上に設置され、入り口（３）を開閉するために上に蓋（４）が装着された前記入り口（３）を含み、上方水供給パイプ（６）によって水を受け入れ、下方部分によって受け入れた水を排出するように構成された多目的水タンク（１）であって、
前記水供給パイプ（６）から分岐し、前記水タンク（１）の下方部分に形成された濾過部（８）に接続され、端部上に複数のノズル（７ａ）を含む、濾過ネット（９）に対して下方から洗浄水を通過させる洗浄水入り口パイプ（７）と、
前記濾過部（８）の上に配置された微細な濾過ネット（９）と、
前記洗浄水および異物を排出するために、前記微細な濾過ネット（９）の中央部分に接続された洗浄水出口パイプ（１１）と、
前記濾過部（８）の下方部分に接続された水出口パイプ（１０）と、
前記水供給パイプ（６）および前記洗浄水入り口パイプ（７）を開閉させるために、前記水供給パイプ（６）および前記洗浄水入り口パイプ（７）に配置された弁（１３、１４）とを備えることを特徴とする多目的水タンク（１）。
【請求項２】
前記水タンク（１）の中に充填された水と化学薬品を混合する目的で、前記水タンク（１）の中に攪拌水を噴射するために、攪拌水注入パイプ（１５）の端部が、前記濾過部（８）の側部に接続され、
前記攪拌水注入パイプ（１５）にポンプ（Ｐ）が設置され、前記攪拌水注入パイプ（１５）の他端が、前記水タンク（１）の内部に接続され、前記攪拌水注入パイプ（１５）の他端に攪拌ノズル（１６）が配置され、前記攪拌ノズル（１６）が、前記攪拌水注入パイプ（１５）の他端で回転しながら、前記水タンク（１）の中に前記攪拌水を噴射することを特徴とする、請求項１に記載の多目的水タンク。
【発明の詳細な説明】
【技術分野】
【０００１】
本発明は、多目的水タンクに関し、詳細には、飲料水、農業用水、家畜産業を含めた様々な分野で使用するための効率のよい、安全な、使いやすい、衛生的な多目的水タンクに関する。
【背景技術】
【０００２】
従来の水タンクの底部には、様々な不純物および異物が堆積され、その堆積量は、経時的に増加する。これらの堆積物および水タンク内に残った水は、微生物の成長に適した環境を提供する。しかしながら、堆積した不純物および異物を完全に除去することは困難である。
【０００３】
従来の水濾過システムでは、濾過ネットにホースが結合され、その後、水を吸引するためにそのホースが水タンク内に挿入される。吸引された水は、それが補助フィルタを使用して浄化された後使用される。しかしながら、従来の水濾過システムは、水の濾過効率が低い。さらに、水濾過システムの水の吸引圧力が、低下しやすい場合がある、または水濾過システムのモータは、過負荷により壊れやすい場合がある。さらに、水濾過システムは、手動のシステムのため、操作者が、水濾過システムを作動させる際、偶発的にけがをする恐れがある。
【０００４】
さらに、水タンクを洗浄するのに洗剤（化学的）が使用される際、洗剤が水タンク内に残ることにより衛生および環境の問題が生じる場合がある。
【発明の概要】
【発明が解決しようとする課題】
【０００５】
したがって、本発明は、従来技術の限界および欠点に起因する１つまたは複数の問題を実質的に取り除く水タンクを対象とする。
【０００６】
本発明の目的は、不純物および異物を収集するための下方部分の濾過部と、濾過部から不純物および異物を洗い流すための逆向きの洗浄構造体とを含む多目的水タンクを提供することである。
【図面の簡単な説明】
【０００７】
【図１】本発明の一実施形態による水タンクを示す断面図である。
【図２】本発明の一実施形態による水タンクを示す部分断面図である。
【図３】本発明の一実施形態による水タンクの一部を示す切欠き図である。
【図４】本発明の別の実施形態による水タンクを示す断面図である。
【図５】本発明の別の実施形態による水タンクを示す断面図である。
【発明を実施するための形態】
【０００８】
図１は、本発明の一実施形態による水タンク１を示す断面図である。図２は、水タンク１の部分断面図であり、図３は、水タンク１の切欠き図である。本発明は、添付の図面を参照して以下に説明される。
【０００９】
水タンク１は、円筒形および矩形の箱形など様々な形状を有してよい。水タンク１は、ベース２を使用して所望の場所に設置することができる。水タンク１は、入り口３と、入り口３を選択的に開閉する蓋４とを含む。水供給パイプ６が、水タンク１の上方部分に接続され、フロート弁５が、水供給パイプ６に結合される。フロート弁５によって、水供給パイプ６を通って水を自動的に水タンク１に供給し、自動的に水を所定のレベルに維持することが可能である。
【００１０】
逆向きの洗浄水入り口パイプ７が、水供給パイプ６から分岐し、水タンク１の下方部分に形成された濾過部８の上に堆積した異物を除去するために、複数のノズル７aが、逆向きの洗浄水入り口パイプ７の端部上に形成される。
【００１１】
濾過部８の上に、微細な濾過ネット９が配置される。微細な濾過ネット９は、水タンク１の底部側とほぼ同様の傾斜角（約１０°）で、その中央部分に向かって傾斜する。この場合、微細な濾過ネット９によって収集された異物は、逆向きに洗浄する際、容易に除去することができる。微細な濾過ネット９を通過した後の浄化された水は、水出口パイプ１０を通って排出することができる。微細な濾過ネット９を洗浄する（逆向きの洗浄）のに使用された洗浄水は、逆向き洗浄水出口パイプ１１を通って排出することができる。逆向き洗浄水出口パイプ１１の中間に、弁１２が配置される。
【００１２】
水供給パイプ６および逆向きの洗浄水入り口パイプ７をそれぞれ開閉するために、水供給パイプ６および逆向きの洗浄水入り口パイプ７に弁１３および１４が配置される。
【００１３】
農業用化学薬品などの化学薬品を、入り口３を通って水タンク１の中に注ぎ入れ、次いで、攪拌することができる。図４に示される本発明の別の実施形態によると、濾過部８と水タンク１の側部の間に攪拌水注入パイプ１５を設けることができ、攪拌水注入パイプ１５の中間にポンプ（Ｐ）を配置することができる。さらに、攪拌ノズル１６が、攪拌水注入パイプ１５の端部に回転可能に配置される。したがって、攪拌水注入パイプ１５の端部で回転しながら、攪拌ノズル１６は、入り口３を通って水タンク１内に注ぎ入れた化学薬品を攪拌する目的で、水タンク１全体に攪拌水を噴射することができる。
【００１４】
図５に示される本発明の別の実施形態によると、同様の目的で、付加的攪拌スクリュウ１７を使用することができる。
【００１５】
参照番号１８は、レベルインジケータを示す。
【００１６】
本発明の水タンク１は、飲料水、農業用水、家畜産業を含めた様々な分野で使用することができる。水供給パイプ６の弁１３を開放し、逆向きの洗浄水入り口パイプ７の弁１４を閉鎖することによって、水などの液体を水タンク１の中に取り入れることができる。
【００１７】
次いで、水供給パイプ６を通って水を水タンク１の中に注入することができる。水タンク１いっぱいに水が充填されると、水タンク１への水の供給を中断することができるように、フロート弁５が、水供給パイプ６を閉鎖する。
【００１８】
水タンク１から清浄な水を供給することができるように、水タンク１の中に充填された水は、濾過部８の微細な濾過ネット９を通過した後、外に排出される。
【００１９】
水の中に含まれる不純物および異物は、濾過部８の微細な濾過ネット９上に集積されるため、濾過部８の微細な濾過ネット９は、定期的に洗浄される。
【００２０】
濾過部８は、以下のように洗浄することができる。水タンク１から完全に水が排出され、水供給パイプ６の弁１３を閉鎖した後、濾過部８の中に水を注入するために、逆向きの洗浄水入り口パイプ７の弁１４が開放される。次いで、水が、濾過部８の下方部分に配置されたノズル７ａを通って、濾過部８の微細な濾過ネット９の上に注入され、その結果、微細な濾過ネット９を洗浄することができる。それと同時に、逆向きの洗浄水出口パイプ１１の弁１２が開放されて、微細な濾過ネット９、および微細な濾過ネット９から分離された異物を洗浄するのに使用された水が排出される。
【００２１】
一方、水と、農業用化学薬品などの化学薬品を、以下のように攪拌することによって、水タンク１の中で混合することができる。農業用化学薬品などの化学薬品を水タンク１の中に注いだ後、水を濾過部８から攪拌水注入パイプ１５を通って攪拌ノズル１６にくみ上げるために、ポンプ（Ｐ）が駆動される。次いで、攪拌ノズル１６が回転し、水が、攪拌ノズル１６から水タンク１の中に注入され、その結果、水と化学薬品を均一に混合することができる。あるいは、図５に示すように、水と化学薬品を均一に混合する目的で水と化学薬品を攪拌するために、入り口３を通って攪拌スクリュウ１７を水タンク１の中に配置することができる。
【産業上の利用可能性】
【００２２】
上記に記載するように、本発明によると、多様な産業分野で水タンク１を有益に使用することができるように、浄化された水を供給するために、水タンク１は、下方中央部分に濾過部８を含む。さらに、水タンク１を衛生的に使用することができるように、逆向きの水の経路を通って、微細な濾過ネット９の上に水を注入することによって、濾過部８の微細な濾過ネット９を定期的に洗浄することが可能である。したがって、水タンク１は、多様な産業分野において、効率がよく、安全で便利に使用することができる。付加的に、水タンク１は、多様な産業用途に関して、水と化学薬品を均一に混合するのに使用することができる。
【図１】
0004813601.tif 000002
【図２】
0004813601.tif 000003
【図３】
0004813601.tif 000004
【図４】
0004813601.tif 000005
【図５】
0004813601.tif 000006